(57)【要約】【課題】  筐体内の所定位置にスピーカー等の電子機器が取り付け保持される電子装置において、装置の落下や衝撃があっても、筐体内のスピーカーの位置ずれがなく、防水性、機密性、音漏れ防止性、ビリつき防止性などの基本的な性能を確保できる電子装置を提供する。【解決手段】  筐体内の所定位置に電子機器が配設される電子装置において、電子機器の外周部を保持するため、この外周部の形状に合わせられた保持部を有する枠体形状のパッキング部材と、パッキング部材の外周部を保持するため、この外周部の形状に合わせられた内周部を有して筐体内に形成されるホルダー部と、電子機器を拘束して筐体との位置ずれを防ぐための取り付け金具と、を備え、パッキング部材は、電子機器の外周部が当接する側壁部を有する断面Ｌ字形の保持部位と、側壁部のない保持部位とが相互に配置される枠体形状を成す。【選択図】      図１
2006186726.tif 000002
【特許請求の範囲】
【請求項１】
筐体内の所定位置に電子機器が配設される電子装置において、
前記電子機器の外周部を保持するため、この外周部の形状に合わせられた保持部を有する枠体形状のパッキング部材と、
前記パッキング部材の外周部を保持するため、この外周部の形状に合わせられた内周部を有して前記筐体内に形成されるホルダー部と、
前記電子機器を拘束して前記筐体との位置ずれを防ぐための取り付け金具と、を備え、
前記パッキング部材は、前記電子機器の外周部が当接する側壁部を有する断面Ｌ字形の保持部位と、側壁部のない保持部位とが交互に配置される枠体形状を成す、ことを特徴とする電子装置。
【請求項２】
請求項１に記載の電子装置において、
前記ホルダー部は、前記パッキング部材の側壁部のない保持部位に係合するためのリブ状部位を備える、ことを特徴とする電子装置。
【請求項３】
請求項１または２に記載の電子装置において、
前記電子機器は、スピーカー、マイク、モーターのいずれかから構成される、ことを特徴とする電子装置。
【発明の詳細な説明】
【技術分野】
【０００１】
本発明は、スピーカー、マイク、モーター等の電子機器を、筐体(ケース)内に固定また取り付けするための部材保持構造を備える電子装置にかかり、より具体的には、携帯電話機等に用いられる受話用スピーカー等の電子機器を、パッキング部材を介在させて筐体内の所定位置に配設するのに適する部材保持構造を備えた電子装置に関するものである。
【背景技術】
【０００２】
図２は、携帯電話機の筐体(ケース)１０内の所定位置に受話用スピーカー３０を据え付ける場合の従来における部材保持構造１００を示す図であって、図２(２ａ)は分解した構成部材を含む外観斜視図であり、図２(２ｂ)は部材保持構造１００のＡＡ断面図である。
このような、携帯電話機等の筐体内にスピーカーを配置して保持するための構造では、防水性確保、機密性確保、音漏れの防止、筐体にスピーカーが接触することにより発生するビリつきの防止などの諸性能が満足されることが要求されており、筐体内にスピーカーが直接接触しないように、ゴムパッキング部材を介在させてスピーカーを保持する構造となっていた。
【０００３】
図２(２ａ)の部材保持構造１００では、円形偏平形状のスピーカー３０は、これが受け入れて保持される構造を有する円環枠体形状のパッキング部材２０を介して、筐体１０内の同じく円環形状のホルダー部１１に据え付けられる。ここで、パッキング部材２０がスピーカー３０を受け入れて保持するために、パッキング部材２０の外周部２０Ａの内側に、円環形状で断面Ｌ字状のスピーカーの受け入れ部２１が設けられている。
【０００４】
また、このパッキング部材２０の外周部２０Ａは、ホルダー部１１の受け入れ部１１Ａの形状に合致する構造となっており、この外周部２０Ａおよび円環底部２０Ｂを有して、ホルダー部１１の受け入れ部１１Ａおよび底部１１Ｂに密接して配置設定がなされるように、その形状が設定されている。
そして、ここで配置保持されるスピーカー３０には、その上部の外周側を押さえて固定保持するための取り付け金具４０が取り付けられ、図２(２ｂ)に示すごとく、筐体１０のホルダー部１１上に、パッキング部材２０／スピーカー３０／取り付け金具４０が積層されて相互に密接した配置設定がなされるよう設計されている。
【０００５】
次の図３(３ａ)と図３(３ｂ)とは、図２に示した従来の部材保持構造１００に従って、そのスピーカー３０を携帯電話機の筐体１０の内側に取り付けたときの問題点を説明するための断面図である。
図２に示した従来の部材保持構造１００では、スピーカー３０の外周部３１の全周に渡って、柔らかいゴムパッキング部材３０で固定保持される構造である。このため、落下・衝突・揺動などにより装置に衝撃が与えられたときには、スピーカー３０自体が所定位置から大きく移動される可能性がある。
【０００６】
図３(３ａ)は、衝撃等によって筐体内に配置されたスピーカー３０が所定位置から移動されたために、スピーカー３０がゴムパッキング部材２０からズレてしまって隙間が発生し、防水性と機密性(音漏れ性)とが保てなくなった状況を示している。なお、図３(３ａ)において、Ｍ１はスピーカー３０の動きの様子を示す矢印であり、またＳ１は、スピーカー３０が動いたために隙間が生じた状況を示すものである。
【０００７】
また、図３(３ｂ)の状況はつぎのとおりである。筐体内に配設されたスピーカー３０が、図３(ａ)の場合よりさらに強い力で所定位置から動かされたために、筐体１０のホルダー部１１の所定位置に密接して配置されていたゴムパッキング部材２０は、ホルダ部１１の外へ位置ズレして、はみ出すこととなる(２０Ｈの箇所)。そのとき、スピーカー３０も所定位置から脱落してしまって、筐体１０の底部の内壁に直接接触することになるが(Ｓ２の箇所)、このことは、ビリつきなどの不具合を起こす原因である。
【０００８】
本発明による電子装置の技術分野にかかわる公知の特許文献としては、例えば、次のようなものがある。
【特許文献１】実用新案登録第３０１０４４９号公報
【特許文献２】特開２０００−３３２８７６号公報
【発明の開示】
【発明が解決しようとする課題】
【０００９】
本発明は、上記の問題を解決するためになされたものであって、筐体内の所定位置にスピーカー等の電子機器が据え付けられて保持される電子装置において、その電子装置が落下されたり衝撃を受けたりしたときであっても、筐体内に取り付けられたスピーカー等の電子機器がその位置からずれることがなく、装置の防水性、機密性、音漏れ防止性、ビリつき防止性などの基本的な性能を確保できる部材保持構造を有する電子装置を提供することを目的とする。
【課題を解決するための手段】
【００１０】
本発明の電子装置は、上述の課題を解決して目的を達成するために、次のような手段を用いる。
（１）筐体内の所定位置に電子機器が配設される電子装置において、
前記電子機器の外周部を保持するため、この外周部の形状に合わせられた保持部を有する枠体形状のパッキング部材と、
前記パッキング部材の外周部を保持するため、この外周部の形状に合わせられた内周部を有して前記筐体内に形成されるホルダーと、
前記電子機器を拘束して前記筐体との位置ずれを防ぐための取り付け金具と、を備え、
前記パッキング部材は、前記電子機器の外周部が当接する側壁部を有する断面Ｌ字形の保持部位と、側壁部のない保持部位とが交互に配置される枠体形状を成す、電子装置とした。
【００１１】
（２）(１)の電子装置において、
前記ホルダー部は、前記パッキング部材の側壁部のない保持部位に係合するためのリブ状部位を備える。
（３）(１)または(２)の電子装置において、
前記電子機器は、スピーカー、マイク、モーターのいずれかから構成される。
【発明の効果】
【００１２】
本発明の電子装置によれば、装置が落下されたり衝撃を受けたりしたときであっても、装置筐体内に配設されたスピーカー等の電子機器が所定位置からずれることがなく、装置の防水性、機密性、音漏れ防止性、ビリつき防止性などの基本的な性能を確保することができる。
【発明を実施するための最良の形態】
【００１３】
以下、本発明の実施の形態を、図１を参照して詳細に説明する。なお、図２および図３に示す従来の電子装置と同一部分には同一符号を付し、詳細な説明は省略する。
図１は本発明の一実施形態を示す図であり、携帯電話機の筐体（ケース）５０内の所定位置に、電子機器である受話用スピーカー３０を据え付ける場合の電子装置の部材保持構造２００を示す図である。ここで、図１(１ａ)は分解した構成部材を含む外観斜視図であり、図１(１ｂ)は部材保持構造２００のＢＢ断面図である。
【００１４】
図１(ａ)の部材保持構造２００では、円形偏平形状のスピーカー３０は、これを受け入れて保持される構造を有する円環形状のパッキング部材６０を介して、筐体５０内に設けられた同じく円環形状のホルダー部５１に据え付けられる。
ここで、スピーカー３０がパッキング部材６０に受け入れられて保持される関係とするにあたり、円環枠体形状のパッキング部材６０がスピーカー３０の外周部３１を保持するよう、この外周部３１の形状に合わせた形状からなる保持部６１を具備させる。
【００１５】
また、筐体５０内に形成されたホルダー部５１とパッキング部材６０との係合関係については、ホルダー部５１は、パッキング部材６０の外周部６０ａを保持するため、この外周部６０ａの形状に合わせて形成された内周部５１Ａを備える。このホルダー部５１の内周部５１Ａは、内面に凹凸が設けられたリブ付内周面５１ｒとリブのない内周面５１ｆとの２種類がある。この図１では、これらのリブ付内周面５１ｒとリブなしの内周面５１ｆとは、その数と大きさと形状とが１種類に統一されており、これらが規則的に交互に配置された円環状の内周帯として一体的に形成されている。
さらに、筐体５０内に配置されて保持されたスピーカー３０が位置ずれしないように、スピーカー３０の外周部３１の側を上方から押さえて、これを拘束するための取り付け金具４０を備えている。
【００１６】
このパッキング部材６０において、スピーカー３０を保持するための保持部６１は、図１で明らかなように、スピーカー３０の外周部３１が当接する側壁部ｗ１を有する断面Ｌ字形の保持部位６１Ｌと、側壁部のない断面バー形の保持部位６１Ｂとが、規則的に交互に配置された円環枠体形状を成している。そして、保持部位６１Ｌは複数個数あるが、ここではこれらの円周に沿った長さや形状は全て同じものに統一されており、また、保持部位６１Ｂについても保持部位６１Ｌと同じ数だけ設けられているが、それら複数の保持部位６１Ｂについてもその大きさや形状は全て同じように統一されている。
【００１７】
なお、このパッキング部材６０での保持部位６１Ｌと保持部位６１Ｂとについては、通常は部位６１Ｌと部位６１Ｂの数は同じ数になるものの、部位６１Ｌと部位６１Ｂの設定数は自由に選択することかできるし、大きさや形状もすべての部位を同じように統一する必要はなく、このあたりは当業者の設計選択的な事項に過ぎないものである。図１のパッキング部材６０では同じものを採用することとしたが、これらの部位６１Ｌと部位６１Ｂの設定数、大きさ、形状については、設計者が適宜に選択して採用すればよいことであり、これらに合わせて、ホルダー部５１の内周部５１Ａの形状や大きさ等が設定されるとよい。
【００１８】
ここで、ホルダー部５１とパッキング部材６０との係合関係については、パッキング部材６０の側壁部ｗ１を有する断面Ｌ字形の保持部位６１Ｌは、側壁部ｗ１が側方と上方に突出しているので、ホルダー部５１のリブのない内周面５１ｆと係合する位置になるよう設定配置される。また、パッキング部材６０の側壁部のない断面バー形の保持部位６１Ｂは、ホルダー部５１のリブ付内周面５１ｒと係合する位置になるよう設定配置される。このように、ホルダー部５１とパッキング部材６０とは、正確に組み合わせられた係合配置設定がなされるように、これら二部材間の寸法や形状などが厳密に設計されることが望まれる。
【００１９】
図１のように、各部材の相互に組み合わされる配置設定によって、このパッキング部材６０の外周部６０ａは、ホルダー部５１の内周部５１Ａの形状に合致した構造となっている。ここで、パッキング部材６０がホルダー部５１に嵌め込まれたときに、パッキング部材６０の外周部６０ａと底部６０ｂとが、ホルダー部５１の内周部５１Ａおよび底部５１Ｂと密接した配置設定がなされるように構成されている。
【００２０】
そして、部材保持構造２００でのスピーカー３０には、このスピーカー３０の上部外周側を押さえて保持するための平板リング状の取り付け金具４０が、筐体５０に支持固定されて取り付けられるので、図１に示すように、筐体５０に設けられたホルダー部５１上に、パッキング部材６０／スピーカー３０／取り付け金具４０が積層して配置設定されるような構造で複数の部材保持がなされる。
【００２１】
図１に示した電子装置の部材保持構造２００によれば、ここでのパッキング部材６０については、パッキング部材６０の側壁部ｗ１を有する断面Ｌ字形の保持部位６１Ｌは、ホルダー部５１の凹凸のない内周面５１ｆと係合するように設定され、また、パッキング部材６０の側壁部のない断面バー形の保持部位６１Ｂは、ホルダー部５１のリブ付内周面５１ｒと係合するように設定される。このように、パッキング部材６０とホルダー部５１との部材の関係が定められるよう、それぞれの部材の設計がなされる。
【００２２】
ここで、パッキング部材６０は、側壁部ｗ１がある断面Ｌ字形の保持部位６１Ｌと、側壁部のない断面バー形の保持部位６１Ｂとが、交互に組み合わされて連結された円環状の枠体部材である。このパッキング部材６０のリング状枠体の全体から見ると、側壁部のない断面バー形の保持部位６１Ｂを「切り欠き部」と見ることができ、このとき、この円環枠体状のパッキング部材６０を、「切り欠き部」を規則的に複数個数設けた「ギア部材」として捉えることもできる。
【００２３】
筐体５０に配設されたホルダー部５１の内周面５１Ａとしては、凹凸があるリブ付内周面５１ｒと、リブがなく平坦曲面の内周面５１ｆとの２種類があるが、「ギア部材」に見立てられるこのパッキング部材６０の外周部６０ａにも、このホルダー部５１の内周部に合わせられた形状と寸法で形成された保持部位６１Ｌと保持部位６１Ｂとの２種類の保持部を備えているので、このパッキング部材６０とこのホルダー部５１とが緊密に係合する保持関係が実現される。
【００２４】
また、パッキング部材６０を介したスピーカー３０とホルダー部５１との配置関係については、図１(１ｂ)に示すように、このパッキング部材６０の側壁部ｗ１がある断面Ｌ形の保持部位６１Ｌには、スピーカー３０の外周部３１が直接接触するものの、側壁部のない断面バー形の保持部位６１Ｂでは、スピーカー３０の外周部３１がホルダー部５１のリブ付内周面５１ｒの位置に配置されて、ホルダー部５１との間に隙間Ｓ３が形成されることとなり、この隙間はビリ付きのない構造とするのに大いに寄与できる。
【００２５】
このように、本発明の電子装置では、ホルダー部５１／パッキング部材６０／スピーカー３０／取り付け金具４０を含む構成部材を、リブ手段を含んで積層的に組み合わせて係合し、柔軟で衝撃を吸収しやすい特有な部材保持構造が形成される。これにより、スピーカー３０は電子装置内に安定した状態で保持されることができ、電子装置が落下されたり衝突されたりした場合でも、内部のスピーカー３０は大きな衝撃を受けることなく、電子装置内でずれたり移動したりするということもない。
【００２６】
また、本発明による電子装置は、スピーカー３０／ゴム製のパッキング部材６０／ホルダー部５１の間とには、複数のリブ手段を含んだ柔軟で密接な係合構造が形成されているので、各部材相互のズレや移動を抑えることができ、さらに、防水性や機密性(音漏れ性)の面にも極めて有効であり、パッキング部材６０がホルダー部５１からはみ出すこともなくなり、びりつきもなくなる。さらに、本発明では、従来の構造に比べて部品点数を増やすこともなく、簡明な構造のままで、低コストにして製造することができる。
【００２７】
本実施の形態では、電子装置の一例として、スピーカーを搭載する携帯電話機を取り上げて説明を行ってきたが、これに限られるものではなく、マイクやモーター等の電子機器を内蔵する電子装置についても、本明細書に従えば容易に構成することができる。また、ここでは、電子機器として丸形薄厚の形状を成しているスピーカーを搭載する電子装置について説明してきたが、電子機器の形状や大きさについて限定されることはなく、マイクやモーター等の他の電子機器を搭載または内蔵する電子装置についても、その形状や大きさを適宜なものを用いて、本発明のように構成することができるのは、言うまでもないことである。
【産業上の利用可能性】
【００２８】
本発明は、筐体内の所定位置に電子機器が据え付けられて保持される構造を備える電子装置に関するものであり、電子装置としては、携帯電話機やＰＤＡなどの携帯端末装置のほか、携帯型パソコン、オーディオ機器などにも適用が可能であり、また、電子機器としては電子装置が搭載するスピーカー、マイク、モーターなどの構成部材に適用が可能であって、本発明の産業上の利用可能性は極めて大きいものである。
【図面の簡単な説明】
【００２９】
【図１】本発明の一実施形態による電子装置において、その部材保持構造２００を示す分解図(１ａ)と断面図(１ｂ)である。
【図２】従来の電子装置において、その部材保持構造１００を示す分解図(２ａ)と断面図(２ｂ)である。
【図３】従来の電子装置における問題点を説明するための断面図(３ａ)(３ｂ)である。
【符号の説明】
【００３０】
２００、１００    電子装置の部材保持構造
３０      スピーカー（電子機器）
３１      スピーカーの外周部
４０      取り付け金具
５０      筐体(ケース)
５１      ホルダー部
５１Ａ    ホルダー部の内周部
５１ｒ    ホルダー部のリブ付内周面
５１ｆ    ホルダー部のリブなし内周面
６０      パッキング部材
６０ａ    パッキング部材の外周部
６０ｂ    パッキング部材の底部
ｗ１      側壁部
６１Ｌ    側壁部のある断面Ｌ字形の保持部位
６１Ｂ    側壁部のない断面バー形の保持部位
【図１】
2006186726.tif 000003
【図２】
2006186726.tif 000004
【図３】
2006186726.tif 000005